(57)【要約】【課題】  等しい重量の２物体が重力的に平衡する時の平衡支点は当該支点が移動すると両者間は不平衡となり偶力を発生するので支点の移動で発生する偶力を連杆を介し出力軸４から回転力を得る装置である。【解決手段】  ローター案内は真円１４の中心１６を共有する相補対象の回転円１５を円筒形にし、円筒表面にローター２Ａ．２Ｂの回転案内をする対称の案内レール５が布設され、ローター案内１Ａ．１Ｂ及び２３Ａ．２３Ｂは各々一対で隔壁３の両面及び装置の骨組みの支柱１１に回転軸、及び回転基準の垂直軸を一致させ各案内全部を鏡像で固定する。  ローター２Ａ．２Ｂは両先端に重量物を装架し、隔壁３を貫通する接合杆４Ａ両端の支点移動部品９を当該ロット部２５が貫通し、支点移動部品９はローターの回転位相を９０度ずらすため接合杆４Ａ両端で直交し、軸受けを介して固定される出力軸４が嵌合固定される。【選択図】  図１
2006037940.tif 000002
【特許請求の範囲】
【請求項１】
本装置は地表上で同一の鉛直線以外の空間を水平の直線で結ばれる等しい重量の２物体間の重力平衡状態から、平衡支点を移動し不平衡にして発生する偶力を継続的な回転力に変えるため、複数以上の数とするローター（［図１］２Ａ．２Ｂ）を回転させて装置外部へ回転力を出力する装置で回転力発生の要素は、回転の中心として想像の真円（［図２］１４）の中心（［図２］１６）を共有する回転円が、中心（［図２］１６）で対向する半径の和である直径は全周にわたり一定であるが、対向する半径の長さの比は連続して変化する相補対象の回転円（［図２］１５）を円筒形にし、回転中心（［図３］１６）で見て対向する半径が等しくなる円周上の点（［図３］２１．２２）を結ぶ垂直線を鉛直線と一致させ、円筒表面の外周にローター（［図１］２Ａ．２Ｂ）の回転案内をする案内レール（［図１］５）を布設した、ローター案内（［１Ａ．１Ｂ．２３Ａ．２３Ｂ）である。
【請求項２】
ローター（［図１］２Ａ．２Ｂ）は支点移動部品（９）を貫通するロット部（［図４］２５）の両先端部（［図１］６）に重量物を装架し、ローター案内（［図１］１Ａ．１Ｂ．２３Ａ．２３Ｂ）の案内レール（［図１］５）に乗る双頭部（［図１］７）の車輪（［図１］８）で回転案内され、当該ローター２Ａ．２Ｂで得られる偶力を連杆を介し接合杆（［図６］）及び出力軸（［図７］）に回転力を出力する。
【発明の詳細な説明】
【発明の詳細な説明】
【０００１】［発明の属する技術分野］
本装置は地表上で同一の鉛直線以外の空間を水平の直線で結ばれる等しい重量の２物体間の重力平衡状態から、平衡支点の移動で両者間を不平衡にして２物体間に発生する偶力から回転力を得るための装置で、偶力発生の要素は相補対称の回転円１５の円周である回転円を円筒形にして、回転の中心１６で対向する半径の長さが等しくなる点を結ぶ垂直線を鉛直線と平行にし、円筒表面の外周にローター２Ａ．２Ｂの回転案内をする案内レール５を布設する。  ローター案内１Ａ．１Ｂ及び２３Ａ．２３ＢはそれぞれＡとＢが一対で回転軸及び垂直線を合わせて隔壁３の両面にローター案内１Ａ．２３Ａが固定され、装置構造の支柱１１の内側にローター案内１Ｂ．２３Ｂがそれぞれ全部が鏡像で固定される。  回転円周表面上に布設された案内レール５により、ローター２Ａ．２Ｂの双頭部７に付く車輪８で案内される当該ローターはロット部２５の両先端部６に等しい重量物を装架し、回転軸を形成する支点移動部品９を当該ローターのロット部２５が貫通し、当該ローターに発生した偶力を連杆を介し接合杆４Ａ及び出力軸４に回転力を出力する。
上記の構造での重力利用の連続不平衡回転機に関するものである。
【０００２】［従来の技術］
重力は従来、生活エネルギーとして自然界の事象から各種のエネルギーを取得していたが重力そのものから直接回転力を得る方法は、地域性もあり効率及び利便性から余り利用されていなかった。  地球上の人口増加及び生活の多様化、及び地域性も加わり偏在するエネルギー源の利用確保が難しくなって来ている昨今、地表全域に存在し、生物の生活環境の破壊もほとんどないエネルギー源の多様化が叫ばれる様になって来ている。
【０００３】［この発明が解決しようとする課題］
地表の鉛直面上、任意の空間で偶力発生の支点となる点を求めるとき偶力発生の要素は、同一の鉛直線以外での空間を水平の直線で結ばれる等しい重量の２物体間で重力平衡する平衡支点が移動すれば偶力支点となり偶力が発生するので、平衡支点の移動で偶力支点の連続変化と反復を実行させることが出来る。
【０００４】［課題を解決する手段］
地表で重力平衡している等しい重量の２物体間を不平衡にし偶力を発生させるための支点の移動を（［図２］及び［図３］）で想像の真円１４の中心１６を共有する回転円で、中心１６で対向する半径の和である直径が真円１４の直径と同じ回転をしても全周にわたり半径の和である直径の長さは変らず、対向する半径の長さの比が変化する相補対象の回転円１５の回転円を円筒にして、ローター案内１Ａ．１Ｂ．２３Ａ．２３Ｂとするため、円筒表面にローター２Ａ．２Ｂの回転案内となる案内レール５を布設し、当該ローター案内はローター数の２倍の数が隔壁３の両面及び装置骨組みの支柱１１に固定される。  ローター２Ａ．２Ｂは鉛直線と平行の位置での偶力発生は無いので回転継続の円滑を図るため当該ローター数は本装置１で複数以上の数が必要である。  隔壁３及び隔壁３を貫通する接合杆４Ａは当該ローター数から１を減じた数で、隔壁３は装置骨組み内の前後の支柱１２に固定され、接合杆４Ａは隔壁３に軸受けを介して固定し両端に支点移動部品９を嵌合固定する。  又回転の円滑を図るため回転円１５の円周を当該ローター案内総数の数の分割角度になるよう支点移動部品９を回転軸上で交叉させる。  支点移動部品９に嵌合固定される出力軸４は装置骨組みの支柱１１に軸受けを介して固定され本装置の回転軸を形成する。  ローター２Ａ．２Ｂはロット部２５の両先端部６に重量物を装架し、車輪８が固定される双頭部７と共に一体となった当該ローターのロット部２５が支点移動部品９を貫通し双頭部の車輪８がローター案内のレール５に案内され、ローター２Ａ．２Ｂで発生する偶力を連杆を介して回転軸を構成する接合杆４Ａ、出力軸４に回転力を出力する。
【０００５】［発明の実施の形態］
相補対象の回転円１５を円筒形にし、円筒表面にローター２Ａ．２Ｂの案内となるレール５が布設されたローター案内１Ａ．１Ｂ．２３Ａ．２３Ｂは、装置支持構造の骨組みで鉛直線と平行の支柱１２に固定される隔壁３の両面にローター案内１Ａ．２３Ａを、又装置両側の支柱１１の内側にローター案内１Ｂ．２３Ｂを、当該装置の回転面の中心１６及び円周上の点２１．２２を結ぶ垂直線を鉛直線に合わせて全てを鏡像で固定する。  隔壁３を軸受けを介し貫通する接合杆４Ａは本装置の回転軸に合わせ両端に支点移動部品９を回転軸上で直交する形に嵌合固定される。  接合杆４Ａに固定される支点移動部品９の反対側面には装置骨組みの左右の支柱１１に軸受けを介し固定される出力軸４が嵌合固定される。
ローター２Ａ．２Ｂは本装置の共通部品で、ロット部２５はでき得る限り軸断面を小さくし両先端部６の重心偏位を小さくして支点移動部品９を貫通し、両先端部６に等しい重量物が装架され、双頭部７に付く車輪８がローター案内に布設された案内レール５で案内され当該ローターで発生する偶力を連杆を介して回転力を回転軸４に出力する。
【０００６】［発明の効果］
重力加速度は重量に無関係な量であるが運動している物体の持つ運動エネルギーはその質量と速度の積で、相補対象の回転円１５の円周上の点「２１」で速度があれば次の下降円に入る時の初速度として加わる。  また物体の落下速度は落下経過時間の２乗倍であるので装置の大型化は装架重量ではなく、ローターの回転直径の増大の方が有利となる。  本装置は回転の原理が真円回転ではないので直接高速回転力は望めないが、装置の運用は２４時間連続運転も可能であり、設置場所は鉛直面を確保できる場所であれば山間僻地、砂漠でもよく、装置の縦続接続も可能で将来のエネルギーともいわれる水素ガス取得の場合の低電位でよい電気分解電源の発電機用原動機とすることもできる。又重量物体の遅い回転運動なので騒音の少ない気体の圧縮装置も考えられる。
【図面の簡単な説明】
【図１】  本装置、連続不平衡回転機の四隅の支柱１３、装置の前面の中間支柱１２及び隔壁３の一部を切り取った部分断面斜視図である。
【図２】  ローター案内１Ａ．１Ｂ．２３Ａ．２３Ｂの円筒の、円周面である相補対象の回転円１５の説明図である。
【図３】  ローター案内として相補対称の回転円１５を使用するとき回転基準になる鉛直線と一致させる垂直線の位置を表わす図である。
【図４】  ローター案内１Ａ．１Ｂ．２３Ａ．２３Ｂの円周に布設されるレール５に乗り回転するローター２Ａ．２Ｂの斜視図である。
【図５】  ローター２Ａ．２Ｂと出力軸４及び接合杆４Ａを連杆し、ローターの回転による支点の移動を容易にすると共に位相調整も行なう支点移動部品９の部分断面斜視図である。
【図６】  複数の支点移動部品９の間に嵌合されてローター間を連杆する接合杆４Ａの回転図示斜視図である。
【図７】  ローターで発生する偶力を連杆を介し外部負荷に回転力を出力する出力軸４の回転図示斜視図である。
【符号の説明】
１Ａ．は（［図１］）で隔壁３側に固定されるローター案内。
１Ｂ．は（［図１］）でローター案内（［図１］１Ａ）と対になる支柱１１側に付くローター案内。
２Ａ．はローターＡ。
２Ｂ．はローターＢ。
３．は（［図１］）で隔壁。
４．は出力軸。
４Ａ．２つのローターを連杆し両端に支点移動部品９を嵌合固定する接合杆。
５．はローター案内１Ａ・１Ｂ・２３Ａ．２３Ｂの円筒表面に固定されるローターの案内用レール。
６．はローター２Ａ．２Ｂの両先端部に装架される錘の格納部位。
７．はローター２Ａ．２Ｂの両先端部で車輪が付く双頭部。
８．はローター案内１Ａ．１Ｂ．２３Ａ．２３Ｂにつく案内レール５に乗るロター２Ａ．２Ｂの車輪。
９．はローター２Ａ．２Ｂのロット部２５が貫通し、当該ローターと出力軸４及び接合杆４Ａを連杆し偶力を回転力に変え、出力軸４及び接合杆４Ａを嵌合固定する支点移動部品。
１０．は本装置の構造を支える骨組みで、梁の部分。
１１．は（［図１］）で出力軸４を軸受けを介して保持し、ローター案内１Ｂ．２３Ｂを固定する左右の支柱。
１２．は（［図１］）で隔壁３を取り付ける装置中央部前後の支柱。
１３．は（［図１］）で、正面から見て前後左右四隅の支柱。
１４．は想像の真円。
１５．は相補対称の回転円。
１６．は想像の真円１４及び相補対称の回転円１５の回転中心。
１７．は想像の真円１４の円周と相補対称の回転円１５の円周を一致させる点。
１８．は（［図２］）で相補対称の回転円１５の中心１６を通る水平軸上で、対向する半径が短い方の円周位置。
１９．は（「図２」）で相補対称の回転円１５の中心１６を通る水平軸上で、対向する半径が長い方の円周位置。
２０．は（「図２」）で点１７から垂直線上で相補対称の回転円１５の円周上の点１８・１９間と同じ距離をとる位置。
２１．は対向する半径が中心１６で見て等しい距離の相補対象の回転円１５の円周上の位置。
２２．は相補対象の回転円１５の円周上２１に対向する半径位置。
２３Ａ．は隔壁３で区切られるローター案内１Ａ．１Ｂと鏡像で配置される隔壁３の反対側に固定されるローター案内。
２３Ｂ．はローター案内１Ａ．１Ｂと隔壁３で区切られ２３Ａと対になり鏡像で配置され支柱１１側に固定されるローター案内。
２４．は支点移動部品９と接合杆４Ａが嵌合固定される部分で支点移動部品９側は凹部で、接合杆４側が凸である。
２５．はローター２Ａ．２Ｂのロット部である。
２６．はローター２Ａ．２Ｂのロット部２５が支点移動部品９を貫通する部分でロット部２５が容易に摺動出来るようにする部品を付ける部分。
２７．はロット部２５が貫通する部分の中間部で支点移動部品９との摺動面を少なくするための空洞部分。
２８．はローター２Ａ．２Ｂのロット部２５と支点移動部品９が軸受けで接合される部位で軸受けの止めナット。
２９．は支点移動部品９の嵌合部構造を見るための断面部分である。
３０．は支点移動部品９と出力軸４又は接合杆４Ａを嵌合し固定させる接合の凸部。
３１．は支点移動部品９と出力軸４又は接合杆４Ａを嵌合し固定させる部位の凸部。
３２．は支点移動部品９と出力軸４又は接合杆４Ａを嵌合し固定させる部位の凹部。
３３．は支点移動部品９と出力軸４又は接合杆４Ａを嵌合し固定させる部位の凹部。
３４．は出力軸４及び接合杆４Ａの回転軸部。
【図１】
2006037940.tif 000003
【図２】
2006037940.tif 000004
【図３】
2006037940.tif 000005
【図４】
2006037940.tif 000006
【図５】
2006037940.tif 000007
【図６】
2006037940.tif 000008
【図７】
2006037940.tif 000009